(57)【特許請求の範囲】
【請求項１】
無線通信システムにおいて動作可能な装置であって、
アクティブ・セット更新メッセージに含まれる送信電力制御ビットを識別し、
前記送信電力制御ビットによって示される送信電力制御コンビネーションが、前記装置が現在適用している送信電力制御コンビネーションと異なるかを確認し、
サービス提供セル変更を実行し、
送信電力制御コンビネーションの検討に少なくとも部分的に基づいて、媒体アクセス制御ステータス・リセットを有効にするように構成されたプロセッサと、
前記プロセッサに接続され、データを保持するためのメモリと
を備え、
前記アクティブ・セット更新メッセージは、前記装置の移行先の基地局からディスパッチされる、装置。
【請求項２】
前記サービス提供セル変更は、前記媒体アクセス制御ステータス・リセットを自動的に有効にすることを含む請求項１に記載の装置。
【請求項３】
前記プロセッサはさらに、前記送信電力制御コンビネーションが、前記装置が現在動作している送信電力制御コンビネーションに類似していると判定するように構成された請求項１に記載の装置。
【請求項４】
前記装置が現在動作している送信電力制御コンビネーションの類似性の判定に少なくとも部分的に基づいて、前記プロセッサはさらに、前記媒体アクセス制御ステータス・リセットを有効にすることなく、前記サービス提供セル変更を実行するように構成された請求項３に記載の装置。
【請求項５】
前記装置が現在位置しているセルにサービス提供する基地局へ送信された測定レポートに少なくとも部分的に基づいて、前記アクティブ・セット更新メッセージが、前記装置へディスパッチされる請求項１に記載の装置。
【請求項６】
前記測定レポートは、前記セルに関連付けられた信号強度が、遠くのセルに対して減少することを示す請求項５に記載の装置。
【請求項７】
前記遠くのセルは、前記基地局または他の基地局のうちの少なくとも１つによってサービス提供される請求項６に記載の装置。
【請求項８】
前記基地局は、前記装置に対して、前記装置によって保持されているアクティブ・セットに、前記遠くのセルを追加するように指示する請求項６に記載の装置。
【請求項９】
無線通信システムにおいて動作可能な装置であって、
アクティブ・セット更新メッセージに含まれる送信電力制御ビットを発見することと、
前記送信電力制御ビットによって示される送信電力制御コンビネーションと、前記装置が現在適用している送信電力制御コンビネーションとを区別することと、
サービス提供セル変更を行うことと、
送信電力制御コンビネーションの調査に少なくとも部分的に基づいて、媒体アクセス制御ステータス・リセットを実行することと、
に関連する命令群を保持するメモリと、
前記メモリに接続され、前記メモリに保持された命令群を実行するように構成されたプロセッサと
を備え、
前記アクティブ・セット更新メッセージは、前記装置の移行先の基地局からディスパッチされる、装置。
【請求項１０】
前記送信電力制御ビットは、前記基地局から受信される請求項９に記載の装置。
【請求項１１】
前記基地局は、前記装置から取得された測定レポートに応じて前記送信電力制御ビットを送信する請求項１０に記載の装置。
【請求項１２】
前記測定レポートは、前記基地局によってサービス提供されるセルに関連付けられた信号強度に、異なる基地局によってサービス提供される第１のセルに関連付けられた信号強度が近付いていることを示す請求項１１に記載の装置。
【請求項１３】
前記基地局は、前記装置に対して前記装置によって保持されているアクティブ・セットに前記第１のセルを追加するように指示する請求項１２に記載の装置。
【請求項１４】
無線通信システムで利用される方法であって、
アクティブ・セット更新メッセージに含まれる送信電力制御ビットを識別することと、
前記送信電力制御ビットによって示される送信電力制御コンビネーションが、装置が現在適用している送信電力制御コンビネーションと異なるかを確認することと、
送信電力制御コンビネーションの分析に少なくとも部分的に基づいて、媒体アクセス制御ステータス・リセットを行うことを含むサービス提供セル変更を実行することと
を備え、
前記アクティブ・セット更新メッセージは、前記装置の移行先の第１のセルにサービス提供する基地局からディスパッチされる、方法。
【請求項１５】
前記第１のセルに関連付けられた信号強度は、前記基地局によって制御された第２のセルの信号強度に近付いている請求項１４に記載の方法。
【請求項１６】
前記第１のセルに関連付けられた信号強度と、前記第２のセルの信号強度とは、前記基地局へディスパッチされる測定レポートに含まれている請求項１５に記載の方法。
【請求項１７】
前記測定レポートに少なくとも部分的に基づいて、前記基地局は、前記装置に対して、前記装置によって保持されているアクティブ・セットに前記第１のセルを追加するように指示する請求項１６に記載の方法。
【請求項１８】
無線通信システムにおいて動作可能な装置であって、
アクティブ・セット更新メッセージに含まれる送信電力制御ビットを識別する手段と、
前記送信電力制御ビットによって示される送信電力制御コンビネーションが、受信手段が現在適用している送信電力制御コンビネーションと異なるかを確認する手段と、
送信電力制御コンビネーションの検討に少なくとも部分的に基づいて、媒体アクセス制御ステータス・リセットを実行する手段と
を備え、
前記アクティブ・セット更新メッセージは、前記装置の移行先の基地局からディスパッチされる、装置。
【請求項１９】
前記実行する手段はさらに、サービス提供セル変更を有効にする請求項１８に記載の装置。
【請求項２０】
前記識別する手段は、送信手段から、前記アクティブ・セット更新メッセージを受信し、これが結果的に、前記受信手段にサービス提供する請求項１８に記載の装置。
【請求項２１】
前記確認する手段はさらに、前記送信電力制御の値が、前記受信手段が現在適用している前記送信電力制御コンビネーションと類似しているかを判定する請求項１８に記載の装置。
【請求項２２】
コンピュータ読取可能な記録媒体であって、
アクティブ・セット更新メッセージに含まれる送信電力制御ビットを識別するためのコードと、
前記送信電力制御ビットによって示される送信電力制御コンビネーションが、装置が現在適用している送信電力制御コンビネーションと異なるかを確認するためのコードと、
媒体アクセス制御ステータス・リセットを行うためのコードを含むサービス提供セル変更を実行するためのコードとを記録し、
前記媒体アクセス制御ステータス・リセットは、送信電力制御コンビネーションの検討に少なくとも部分的に基づき、
前記アクティブ・セット更新メッセージは、前記装置の移行先の基地局からディスパッチされる、コンピュータ読取可能な記録媒体。
【請求項２３】
前記送信電力制御ビットは、前記装置からディスパッチされた測定レポートに応じて前記基地局から受信される請求項２２に記載のコンピュータ読取可能な記録媒体。
【請求項２４】
前記測定レポートは、前記基地局によってサービス提供される第１のセルと、別の基地局によってサービス提供される第２のセルとの間の相対信号強度を示す請求項２３に記載のコンピュータ読取可能な記録媒体。
【請求項２５】
前記基地局は、前記装置に対して、前記装置によって維持または保持されているアクティブ・セットへ前記第２のセルが追加されるべきであることを示す請求項２４に記載のコンピュータ読取可能な記録媒体。
【発明の詳細な説明】
【関連出願に対する相互参照】
【０００１】
本願は、２００８年８月１８日に出願された“ＨＡＮＤＬＩＮＧ  ＯＦ  ＭＡＣ−ＨＳ／ＥＨＳ  ＲＥＳＥＴ  ＩＮ  ＥＮＨＡＮＣＥＤ  ＳＥＲＶＩＮＧ  ＣＥＬＬ  ＣＨＡＮＧＥ”と題された米国仮出願６１／０８９，６７８号の利益を主張する。上記出願の全体は、参照によって本明細書に組み込まれる。
【技術分野】
【０００２】
以下の記載は、一般に、無線通信に関し、さらに詳しくは、無線通信システムにおけるエンハンスされたサービス提供セル変更におけるＭＡＣ−ｈｓ／ｅｈｓリセットの取り扱いに関する。
【背景技術】
【０００３】
無線通信システムはさまざまなタイプの通信を提供するために広く開発され、例えば、音声および／またはデータが、そのような無線通信システムによって提供されうる。一般的な無線通信システムすなわちネットワークは、複数のユーザへ、１または複数の共有リソース（例えば、帯域幅、送信電力）に対するアクセスを提供しうる。例えば、システムは、周波数分割多重化（ＦＤＭ）、時分割多重化（ＴＤＭ）、符号分割多重化（ＣＤＭ）、直交周波数分割多重化（ＯＦＤＭ）のような様々な多元接続技術を使用することができる。
【０００４】
通常、無線多元接続通信システムは、複数のアクセス端末のための通信を同時にサポートすることができる。おのおののアクセス端末は、順方向リンクおよび逆方向リンクによる送信を介して、１または複数の基地局と通信することができる。順方向リンク（すなわち、ダウンリンク）は、基地局からアクセス端末への通信リンクを称し、逆方向リンク（すなわち、アップリンク）は、アクセス端末から基地局への通信リンクを称する。この通信リンクは、単一入力単一出力システム、複数入力単一出力システム、あるいは複数入力複数出力（ＭＩＭＯ）システムによって確立される。
【０００５】
ＭＩＭＯシステムはデータ送信のために一般に、複数（ＮＴ個）の送信アンテナと複数（ＮＲ個）の受信アンテナとを適用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。さらに、複数の送信アンテナおよび受信アンテナによって生成される追加のディメンションが利用される場合、ＭＩＭＯシステムは、（例えば、高められたスペクトル効率、より高いスループット、および／またはより高い信頼性のような）向上されたパフォーマンスを与える。
【０００６】
ＭＩＭＯシステムは、順方向リンク通信および逆方向リンク通信を、共通の物理媒体によって分割するさまざまなデュプレクス技術をサポートしうる。例えば、周波数分割デュプレクス（ＦＤＤ）システムは、順方向リンク通信および逆方向リンク通信のために異なる周波数領域を利用しうる。さらに、時分割デュプレクス（ＴＤＤ）システムでは、相互原理によって、逆方向リンク・チャネルから順方向リンク・チャネルを推定できるように、順方向リンク送信および逆方向リンク送信が、同じ周波数領域にある。
【０００７】
無線通信システムはしばしば、有効通信範囲領域を提供する１または複数の基地局を使用する。一般的な基地局は、ブロードキャスト・サービス、マルチキャスト・サービス、および／またはユニキャスト・サービスのために、複数のデータ・ストリームを送信する。ここで、データ・ストリームは、モバイル・デバイスに対して興味のある独立した受信からなるデータのストリームでありうる。そのような基地局の有効通信範囲領域内のアクセス端末は、合成ストリームによって搬送される１つ、１つより多い、または全てのデータ・ストリームを受信するために適用されうる。同様に、モバイル・デバイスは、基地局あるいは他のモバイル・デバイスへデータを送信することができる。
【０００８】
従来、物理チャネル再設定または類似のラジオ・リソース制御（ＲＲＣ）メッセージ中、ラジオ・ネットワーク・コントローラ（ＲＮＣ）は、アクセス端末またはユーザ機器に対して、媒体アクセス制御（ＭＡＣ）−ｈｓ／ｅｈｓが、サービス提供セル変更中にリセットされるべきであるか否かを示しうる。一般に、ノードＢ内のサービス提供セル変更の場合、ＭＡＣ−ｈｓ／ｅｈｓがリセットされる必要はなく、ノードＢ間のサービス提供セル変更の場合、ＭＡＣ−ｈｓ／ｅｈｓがリセットされうる。しかしながら、エンハンスされたサービス提供セル変更手順の場合、サービス提供セルに関する情報は、通常、予め設定される。したがって、エンハンスされたサービス提供セル変更手順において、ＭＡＣ−ｈｓ／ｅｈｓリセットを取り扱う技術が考案される必要がある。
【発明の概要】
【０００９】
以下は、１または複数の実施形態の基本的な理解を与えるために、そのような実施形態の簡略化された概要を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【００１０】
１または複数の実施形態および対応する開示によれば、エンハンスされたサービス提供セル変更における媒体アクセス制御（ＭＡＣ）−ｈｓ／ｅｈｓリセットを有効および／または容易にすることに関し、さまざまな態様が記載される。権利主張される主題は、異なる環境において、媒体アクセス制御（ＭＡＣ）−ｈｓ／ｅｈｓリセットを達成するための多くの異なる技術を考える。エンハンスされたサービス提供セル変更手順の一部として、アクセス端末またはユーザ機器は、そのアクティブ・セット内の各メンバのためのサービス提供セル関連情報を用いて予め設定されうる。しかしながら、一般に、アクティブ・セットの更新時において、どのセルがサービス提供セル変更をトリガするのかは知られていないので、ＭＡＣ−ｈｓ／ｅｈｓリセットに関する情報を予め設定することに含まれるいくつかの複雑さがある。
【００１１】
ＭＡＣ−ｈｓ／ｅｈｓリセットを取り扱うための１つの技術は、そのような情報を事前設定することであり、これは、アクティブ・セット内の各セルについて、アクティブ・セット内の他のセルが、サービス提供セルになった場合に、アクセス端末またはユーザ機器がＭＡＣ−ｈｓ／ｅｈｓをリセットすべきか否かに関連する情報を事前設定することを含みうる。ＭＡＣ−ｈｓ／ｅｈｓを取り扱うための更なる手順、および／または、別の手順は、アクセス端末向けであるか、あるいは、ユーザ機器が、送信電力制御（ＴＰＣ）コンビネーション・インデクスを確認し、ＭＡＣ−ｈｓ／ｅｈｓリセットを実行しうる。ここで、新たなサービス提供セルの送信電力制御（ＴＰＣ）コンビネーション・インデクスは、現在のサービス提供セルのものとは異なる。ＭＡＣ−ｈｓ／ｅｈｓリセットを取り扱うためのさらなる技術は、ＭＡＣ−ｈｓ／ｅｈｓリセットを示すために、エンハンスされたサービス提供セル変更手順において適用される高速共有制御チャネル（ＨＳ−ＳＣＣＨ）オーダにおける１ビットを利用することでありうる。さらに、および／または、その代わりに、ＭＡＣ−ｈｓ／ｅｈｓリセットは、サービス提供セル変更が、ノードＢ内サービス提供セル変更であるか否か、ノードＢ間サービス提供セル変更であるか否かに関わらず、すべてのサービス提供セルのためのＭＡＣ−ｈｓ／ｅｈｓリセットを行うことによって達成されうる。
【００１２】
本明細書に記載されたさまざまな態様にしたがう権利主張される主題は、無線通信システムにおいて動作可能な装置を開示する。この装置は、アクティブ・セット更新メッセージに含まれる送信電力制御ビットを識別し、アクティブ・セット更新メッセージに含まれる送信電力制御値が、この装置が現在適用している送信電力制御値と異なるかを確認し、サービス提供セル変更を実行し、送信電力制御コンビネーション・インデクスの検討に少なくとも部分的に基づいて、媒体アクセス制御ステータス・リセットを実行するように構成されたプロセッサを備える。さらに、この装置はまた、データを保持するために、プロセッサに接続されたメモリをも含む。
【００１３】
さらなる態様によれば、権利主張される主題は、無線通信システムにおいて動作可能な装置を開示する。この装置は、アクティブ・セット更新メッセージに含まれる送信電力制御ビットを発見することと、アクティブ・セット更新メッセージに含まれる送信電力制御値と、この装置が現在適用している送信電力制御値とを区別することと、サービス提供セル変更を行うことと、送信電力制御コンビネーション・インデクスの調査に少なくとも部分的に基づいて、媒体アクセス制御ステータス・リセットを実行することと、に関連する命令群を保持するメモリを備える。さらに、この装置は、メモリに接続され、メモリに保持された命令群を実行するように構成されたプロセッサをも含む。
【００１４】
さらに、権利主張される主題は、さらなる態様にしたがって、無線通信システムで利用される方法を開示する。この方法は、アクティブ・セット更新メッセージに含まれる送信電力制御ビットを識別することと、アクティブ・セット更新メッセージに含まれる送信電力制御値が、装置が現在適用している送信電力制御値と異なるかを確認することと、送信電力制御コンビネーション・インデクスの分析に少なくとも部分的に基づいて、媒体アクセス制御ステータス・リセットを行うことを含むサービス提供セル変更を実行することとを含む。
【００１５】
さらに、権利主張される主題は、さらなる態様にしたがって、無線通信システムで動作可能な装置を開示する。この装置は、アクティブ・セット更新メッセージに含まれる送信電力制御ビットを識別する手段と、アクティブ・セット更新メッセージに含まれる送信電力制御値が、受信手段が現在適用している送信電力制御値と異なるかを確認する手段と、送信電力制御コンビネーション・インデクスの検討に少なくとも部分的に基づいて、媒体アクセス制御ステータス・リセットを実行する手段とを含む。
【００１６】
さらに、さらなる態様にしたがう権利主張される主題は、コンピュータ読取可能媒体を備えるコンピュータ・プログラム製品を開示する。このコンピュータ読取可能媒体は、アクティブ・セット更新メッセージに含まれる送信電力制御ビットを識別するためのコードと、アクティブ・セット更新メッセージに含まれる送信電力制御値が、装置が現在適用している送信電力制御値と異なるかを確認するためのコードと、媒体アクセス制御ステータス・リセットを行うためのコードを含むサービス提供セル変更を実行するためのコードとを備えうる。ここで、媒体アクセス制御ステータス・リセットは、送信電力制御コンビネーション・インデクスの検討に少なくとも部分的に基づく。
【００１７】
前述した目的および関連する目的を達成するために、１または複数の実施形態は、以下に十分説明され、特に特許請求の範囲で指摘される特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのようなすべての局面およびそれらの均等物を示すことが意図されている。
【図面の簡単な説明】
【００１８】
【図１】図１は、本明細書に記載されたさまざまな態様にしたがう無線通信システムの例示である。
【図２】図２は、無線通信環境において、エンハンスされたサービス提供セル変更に関連付けられたＭＡＣ−ｈｓ／ｅｈｓリセットを有効および／または容易にするシステムの例示である。
【図３】図３は、無線通信環境において、エンハンスされたサービス提供セル変更に関連付けられたＭＡＣ  ｈｓ／ｅｈｓリセットを有効および／または容易にするシステムの例示である。
【図４】図４は、無線通信環境において、エンハンスされたサービス提供セル変更に関連付けられたＭＡＣ  ｈｓ／ｅｈｓリセットを有効および／または容易にするシステムのさらなる例示である。
【図５】図５は、無線通信環境において、エンハンスされたサービス提供セル変更に関連付けられたＭＡＣ  ｈｓ／ｅｈｓリセットを有効および／または容易にするシステムの別の例示である。
【図６】図６は、無線通信環境において、エンハンスされたサービス提供セル変更に関連付けられたＭＡＣ  ｈｓ／ｅｈｓリセットを有効および／または容易にするシステムのさらに別の例示である。
【図７】図７は、無線通信環境において、エンハンスされたサービス提供セル変更に関連付けられたＭＡＣ  ｈｓ／ｅｈｓリセットを有効および／または容易にする方法の例示である。
【図８】図８は、無線通信環境において、エンハンスされたサービス提供セル変更に関連付けられたＭＡＣ  ｈｓ／ｅｈｓリセットを有効および／または容易にする方法の例示である。
【図９】図９は、無線通信環境において、エンハンスされたサービス提供セル変更に関連付けられたＭＡＣ  ｈｓ／ｅｈｓリセットを有効および／または容易にする方法の例示である。
【図１０】図１０は、無線通信環境において、エンハンスされたサービス提供セル変更に関連付けられたＭＡＣ  ｈｓ／ｅｈｓリセットを有効および／または容易にする方法の例示である。
【図１１】図１１は、無線通信環境において、エンハンスされたサービス提供セル変更に関連付けられたＭＡＣ  ｈｓ／ｅｈｓリセットを有効および／または容易にするアクセス端末の例示である。
【図１２】図１２は、無線通信環境において、エンハンスされたサービス提供セル変更に関連付けられたＭＡＣ  ｈｓ／ｅｈｓリセットを有効および／または容易にするシステムの例示である。
【図１３】図１３は、本明細書に記載されたさまざまなシステムおよび方法と共に適用されうる無線ネットワーク環境の実例である。
【図１４】図１４は、無線通信環境において、エンハンスされたサービス提供セル変更に関連付けられたＭＡＣ  ｈｓ／ｅｈｓリセットを有効および／または容易にするシステムの例示である。
【図１５】図１５は、無線通信環境において、エンハンスされたサービス提供セル変更に関連付けられたＭＡＣ  ｈｓ／ｅｈｓリセットを有効にするシステムの例示である。
【発明を実施するための形態】
【００１９】
さまざまな実施形態が、全体を通じて同一要素を示すために同一の参照番号が使用される図面を参照して説明される。次の記述では、説明の目的のために、多数の特定の詳細が、１または複数の実施形態についての完全な理解を提供するために記述される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００２０】
本願で使用されるように、用語「構成要素」、「モジュール」、「システム」などは、ハードウェア、ファームウェア、ハードウェアとソフトウェアとの組み合わせ、ソフトウェア、あるいは実行中のソフトウェアのうちの何れかであるコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２１】
本明細書に記述された技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムに使用することができる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、Ｅ−ＵＴＲＡを使用するＵＭＴＳの最新リリースであり、ダウンリンクではＯＦＤＭＡを用い、アップリンクではＳＣ−ＦＤＭＡを用いる。
【００２２】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２３】
さらに、さまざまな実施形態は、本明細書において、アクセス端末に関して記載される。アクセス端末はまた、システム、加入者ユニット、加入者局、モバイル局、モバイル、遠隔局、遠隔端末、モバイル・デバイス、ユーザ端末、端末、無線通信デバイス、ユーザ・エージェント、ユーザ・デバイス、またはユーザ機器（ＵＥ）とも称されうる。アクセス端末は、セルラ電話、コードレス電話、セッション初期化プロトコル（ＳＩＰ）電話、ワイヤレス・ローカル・ループ（ＷＬＬ）局、携帯情報端末（ＰＤＡ）、無線接続機能を有するハンドヘルド・デバイス、コンピューティング・デバイス、あるいは無線モデムに接続されたその他の処理デバイスでありうる。さらに、本明細書では、さまざまな実施形態が、基地局に関連して記載される。基地局は、アクセス端末と通信するために利用することができ、アクセス・ポイント、ノードＢ、イボルブド・ノードＢ（ｅＮｏｄｅＢ）、あるいはその他のいくつかの用語で称されうる。
【００２４】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２５】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２６】
基地局１０２は、アクセス端末１１６およびアクセス端末１２２のような１または複数アクセス端末と通信しうる。しかしながら、基地局１０２は、アクセス端末１１６、１２２に類似の実質的に任意の数のアクセス端末と通信しうることが認識されるべきである。アクセス端末１１６およびアクセス端末１２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１００による通信に適したその他任意のデバイスでありうる。図示するように、アクセス端末１１６は、アンテナ１１２、１１４と通信しており、ここでは、アンテナ１１２およびアンテナ１１４が、順方向リンク１１８によってアクセス端末１１６へ情報を送信し、逆方向リンク１２０によってアクセス端末１１６から情報を受信する。さらに、アクセス端末１２２は、アンテナ１０４、１０６と通信しており、ここでは、アンテナ１０４およびアンテナ１０６が、順方向リンク１２４によってアクセス端末１２２へ情報を送信し、逆方向リンク１２６によってアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２７】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したアクセス端末１１６、１２２に送信するためにビームフォーミングを利用している間、近隣セル内のモバイル・デバイスは、すべてのアクセス端末に対して単一のアンテナによって送信している基地局に比べて、少ない干渉しか被らない。
【００２８】
図２は、権利主張される主題のさまざまな態様にしたがって、エンハンスされたサービス提供セル変更におけるＭＡＣ−ｈｓ／ｅｈｓリセットを有効および／容易にするシステム２００を例示する。例示するように、システム２００は、基地局またはノードＢ２０４１・・・２０４Ｚに対する制御を担当しうるラジオ・ネットワーク・コントローラ２０２を含みうる。ラジオ・ネットワーク・コントローラ２０２は、基地局またはノードＢ２０４１・・・２０４Ｚに対する制御を担当するユニバーサル・モバイル・テレコミュニケーション・システム（ＵＭＴＳ）地上ラジオ・アクセス・ネットワーク（ＵＴＲＡＮ）における管理要素でありうる。当業者によって認識されるであろうが、ラジオ・ネットワーク・コントローラ２０２は、制限されたラジオ・スペクトル・リソースおよびラジオ・ネットワーク・インフラストラクチャを、可能な限り効果的に利用するために、例えば送信電力、チャネル割当、ハンドオーバ基準、変調スキーム、誤り符号スキーム等のようなパラメータを制御するために必要なさまざまなストラテジおよびアルゴリズムを実施しうる。それに加えて、ラジオ・ネットワーク・コントローラ２０２はさらに、加入者がどこにいるのかを（例えば、アクセス端末、モバイル・デバイス、またはユーザ機器２０８によって）追跡するために必要なモビリティ管理能力および／または機能を提供する。これによって、呼出やその他のモバイル電話サービスが加入者に配信されるようになる。さらに、ラジオ・ネットワーク・コントローラ２０２は一般に、アクセス端末２０８との間でユーザ・データが送信される前に暗号／解読が実行されるポイントである。
【００２９】
前述したように、システム２００はまた、一般に、例えばセル２０６１、・・・、２０６Ｚのような複数のセル２０６の領域内に位置する１または複数のモバイル・デバイス、アクセス端末、またはユーザ機器２０８とダイレクトに通信するために利用される基地局またはノードＢ  ２０４１、・・・、２０４Ｚ（以下、「基地局２０４」と称する）をも含みうる。ここで、１または複数のセル２０６１は、基地局またはノードＢ  ２０４１によって制御またはサービス提供され、１または複数のセル２０６ｚが、基地局またはノードＢ  ２０４Ｚによって制御またはサービス提供される。限定することなく、また、一般性を失うこともなく、基地局またはノードＢ  ２０４１、および、基地局またはノードＢ  ２０４Ｚのそれぞれによって制御またはサービス提供されるものとして３つのセルしか例示されていないが、対応する基地局またはノードＢによって、それよりも多い、または、それよりも少ないセルが制御またはサービス提供されうることが注目されるべきである。さらに、１または複数のセル２０６１、および、１または複数のセル２０６ｚのおのおのは、さらに遠くのセルを備える１または複数のセクタへ分割されうることも注目されるべきである。
【００３０】
さらに図２には、基地局２０４と、および／または、ラジオ・ネットワーク・コントローラ２０２によって提供される能力および機能によって、より優れたセルラ・システムまたはコア・ネットワーク（例えば第３世代（３Ｇ）セルラ・システム）と、連続的および／または有効な、あるいは、突発的および／または断続的な通信をしうるアクセス端末２０８が例示されている。アクセス端末１１６、１２２を用いた文脈において前述したようなアクセス端末２０８は、その全体が、ハードウェア、および／または、ハードウェアと、実行中のソフトウェアとの組み合わせによって実現されうる。さらに、アクセス端末２０８は、互換性のある他の構成要素内に組み込まれるか、および／または、関連付けられうる。それに加えて、アクセス端末２０８は、必ずしも限定される必要はないが、プロセッサを含むマシンであるか、および／または、ラジオ・ネットワーク・コントローラ２０２によって提供される機能によってコア・ネットワークとの効果的な通信を可能にするような任意のタイプのマシンでありうる。アクセス端末２０８を備える例示的なマシンは、ポータブル・デスクトップ・コンピュータ、セルラ電話、スマート・フォン、ラップトップ・コンピュータ、ノート型コンピュータ、タブレット型ＰＣ、コンシューマおよび／または産業デバイスおよび／または設備、携帯端末、携帯情報端末、マルチメディア、インターネット・モバイル電話、マルチメディア・プレーヤ等を含みうる。
【００３１】
したがって、アクセス端末２０８がセル２０６間を渡り、セル間を移動すると、ハンドオフ・サービス提供セル変更を実行しうる。例えば、アクセス端末２０８が、基地局２０４１によって制御されているセル２０６１（例えば、Ａ１、Ｂ１、およびＣ１のように示されるセル）間を移動し、アクセス端末２０８は、セルを互いに区分しているセル境界を越えると、ハンドオフ・サービス提供セル変更を実行しうる。例えば、アクセス端末２０８が、基地局２０４１によって制御またはサービス提供されるセルＡ１からＢ１へと移動した場合、アクセス端末２０８によって実行されるハンドオフ・サービス提供セル変更が必要となりうる。この例において実行されるハンドオフ・サービス提供セル変更は、アクセス端末２０８の移動先または移動元のセル２０６１（例えば、Ａ１、Ｂ１、およびＣ１のように図示されるセル）は、同じ基地局（例えば、ノードＢ）２０４１によって制御されるので、ノードＢ内サービス提供セル変更と称されうる。
【００３２】
一方、アクセス端末２０８が、基地局２０４１（例えば、Ａ１、Ｂ１、およびＣ１のように図示されるセル）によって制御またはサービス提供されるセル２０６１と、基地局２０４Ｚ（例えば、ＡＺ、ＢＺ、およびＣＺのように図示されるセル）によって制御またはサービス提供されるセル２０６Ｚとの間を移動する場合も、同様のハンドオフ・サービス提供セル変更が実行されうるが、この例におけるハンドオフ・サービス提供セル変更は、ノードＢ間サービス提供セル変更と称されうる。なぜなら、アクセス端末２０８は、異なる、すなわち、別の基地局またはノードＢによって制御またはサービス提供されるセル間を（例えば、基地局２０４１によって制御またはサービス提供されるセル２０６１から、基地局２０４Ｚによって制御またはサービス提供されるセル２０６Ｚへ）移動しているからである。
【００３３】
しかしながら、アクセス端末２０８が、同じ基地局によって制御またはサービス提供されているセル間を移動しており、ノードＢ内ハンドオフ・サービス提供セル変更を実行する必要があるか、または、別の基地局によって制御またはサービス提供されているセル間を移動しており、ノードＢ間ハンドオフ・サービス提供セル変更を有効にするか否かに関わらず、そのようなハンドオフ・サービス提供セル変更が、実行されるべきＭＡＣ−ｈｓ／ｅｈｓリセットを保証するか否かに関する判定がなされねばならない。
【００３４】
媒体アクセス制御（ＭＡＣ）は、一般に、パケットが受信される、あるいは受信されるべき順序を示すシーケンス番号をアクセス端末２０８に提供する。したがって、媒体アクセス制御（ＭＡＣ）情報は、概して、基地局（例えば、ノードＢ）に存在しうる。ここでは、アクセス端末２０８が、同じ基地局２０４によって制御またはサービス提供されるセル間を（例えば、ノードＢ内で）移動する。ここでは、一般に、媒体アクセス制御（ＭＡＣ）状態をリセットするポイントはない。逆に、アクセス端末２０８が、別の基地局によって制御またはサービス提供されるセル間（例えば、ノードＢ間）を移動する場合、媒体アクセス制御（ＭＡＣ）状態をリセットする必要がありうる。なぜなら、アクセス端末２０８の移動先の基地局２０４は、移動中のアクセス端末２０８に関連する媒体アクセス制御（ＭＡＣ）情報との関連付けも、アクセス端末２０８との接続もないからである。
【００３５】
現在まで、サービス提供セル変更を達成するために、ラジオ・ネットワーク・コントローラ（ＲＮＣ）２０２は、アクセス端末２０８に現在サービス提供している基地局２０４を用いて、ラジオ・リソース制御（ＲＲＣ）メッセージをアクセス端末２０８へ送信しうる。このラジオ・リソース制御（ＲＲＣ）メッセージは、サービス提供セル変更を実行し、さらに、媒体アクセス制御（ＭＡＣ）リセットを実行するか否かを示すようにアクセス端末２０８に通知しうる。一般に、ラジオ・ネットワーク・コントローラ（ＲＮＣ）２０２は、アクセス端末２０８が、現在位置しているセルと異なるセルへ入るところであるか、あるいは、入ろうとしているかを検知する。アクセス端末２０８の移動先のセルが、アクセス端末２０８の移動元のセルを制御していたものと同じ基地局２０６によって制御され、サービス提供セル変更手順を行うために、現在制御している基地局２０４を経由してアクセス端末２０８へラジオ・リソース制御（ＲＲＣ）メッセージをディスパッチする場合、ラジオ・リソース制御（ＲＲＣ）メッセージはまた、サービス提供セル変更に加えて、媒体アクセス制御（ＭＡＣ）ステータス・リセットを実行する必要がないとのインジケーションを、アクセス端末２０８へ提供しうる。一方、アクセス端末２０８の移動先のセルが、アクセス端末２０８の移動元のセルを現在制御しているものとは異なる基地局２０４によって制御される場合、ラジオ・ネットワーク・コントローラ（ＲＮＣ）２０２は、ラジオ・リソース制御（ＲＲＣ）メッセージを、サービス提供セル変更のみならず媒体アクセス制御（ＭＡＣ）ステータス・リセットを受けるべき（例えば、アクセス端末２０８のような）アクセス端末２０８へと、再び、現在制御している基地局２０４を経由してディスパッチする。現在の構成に伴う問題は、現在サービス提供中のセルからの受信がますます弱くなり、現在サービス提供中のセルからの信号強度が、急激に低下する場合、アクセス端末２０８が、ラジオ・ネットワーク・コントローラ（ＲＮＣ）２０２からディスパッチされたラジオ・リソース制御（ＲＲＣ）メッセージに含まれる通知を受信するために十分な信号強度を持たない可能性が生じることである。
【００３６】
前述した欠点を克服するために、権利主張される主題は、ソース・セルを制御またはサービス提供している基地局からラジオ・リソース制御（ＲＲＣ）メッセージを送信する代わりに、（例えば、新たなサービス提供セルになる）ターゲット・セルを制御またはサービス提供している基地局から、物理レイヤ・シグナリングをディスパッチしうる。ターゲット・セルを制御またはサービス提供している基地局から発信された物理レイヤ・シグナリングは、高速共有制御チャネル（ＨＳ−ＳＣＣＨ）オーダ（例えば、ビットの組み合わせ）として送信されうる。この概念の下では、アクセス端末２０８は、ターゲット・セルのモニタリングを開始し、高速共有制御チャネル（ＨＳ−ＳＣＣＨ）オーダをターゲット・セルから受信した場合、ある時点において、アクセス端末２０８は、その時点において、ターゲット・セルおよび対応する基地局によって制御されるように切り替わる。しかしながら、物理レイヤ・シグナリングを利用することによって、弱くなって行くセルからのラジオ・リソース制御（ＲＲＣ）メッセージの受信に失敗するという問題を解決するが、物理レイヤ・シグナリング、特に、高速共有速度チャネル（ＨＳ−ＳＣＣＨ）プロトコルは、一般には多すぎる情報を伝送するように変更できない予め定められたフォーマットしか有さない。したがって、わずかな修正もなく、ＭＡＣ−ｈｓ／ｅｈｓリセットを実行するか否かに関する情報は、一般に、物理レイヤ・シグナリングによって示されない。
【００３７】
物理レイヤ・シグナリングを利用することにおけるこの認められた制約を考慮すると、権利主張される主題は、以下に説明するように、ノードＢ間サービス提供セル変更またはノードＢ内サービス提供セル変更を実行すべきか否かと、媒体アクセス制御（ＭＡＣ）ステータス・リセットが行われるべきか否かとをアクセス端末２０８に対して示すために、以下の追加および／または代替技術を適用しうる。
【００３８】
図３は、権利主張される主題のさまざまな態様したがって、エンハンスされたサービス提供セル変更におけるＭＡＣ  ｈｓ／ｅｈｓリセットを有効および／または容易にするシステム３００を図示する。例示するように、システム３００は、アクセス端末２０８と、連続的および／または有効な、あるいは、突発的および／または断続的な通信をしうる基地局２０４を含みうる。基地局２０４およびアクセス端末２０８それぞれの基本的な機能は、前述したので、これら機能の詳細な説明は、不要な反復の回避、および、簡潔さおよび簡明さのために、省略される。しかしながら、図示するように、基地局２０４は、アクティブ・セット構成要素３０２および更新構成要素３０４を含みうる。アクティブ・セット構成要素３０２は、特定の基地局２０４によって制御またはサービス提供されるセルのためのリポジトリとなり、更新構成要素３０４は、アクセス端末２０８が関連するべき適切なセルに関連する情報を発信するために利用されうる。例えば、アクセス端末２０８が、サービス提供セル（例えば、セルＡ）である現在のセル内で動作しているが、他のセル（例えば、セルＢ）から発信された信号が、幾分強くなったものの、現在のサービス提供セル（例えば、セルＡ）から発信された信号ほど強くなる必要はないことが確認された場合、アクセス端末２０８は、基地局２０４へ測定レポートをディスパッチし、セルＢからの信号が、セルＡから発信された信号に接近していることを示す。基地局２０４は、アクティブ・セット構成要素３０２および／または更新構成要素３０４によって提供された能力および機能を用いて、この測定レポートを受信すると、アクティブ・セット更新メッセージをディスパッチし、アクセス端末２０８が、セルＢを自分のアクティブ・セットに追加すべきであることを示す。さらに、アクティブ・セット更新メッセージの一部として、基地局２０４は、アクセス端末２０８に対して、切迫しているサービス提供セル変更をどのようにして実行すべきかをアクセス端末２０８に対して示す１ビット値を提供することによって、アクセス端末２０８に対して、サービス提供セル変更が切迫していることをも示しうる。
【００３９】
さらに、図３に例示するように、システム３００は、リセット構成要素３０６と、基地局２０４から受信したアクティブ・セット更新メッセージに少なくとも部分的に基づいて、サービス提供セル変更を、連携して、および／または、個別に有効にしうるサービス提供セル構成要素３０８とを含むアクセス端末２０８を含みうる。特に、権利主張される主題の態様にしたがって、リセット構成要素３０６は、現在のサービス提供セル（例えば、セルＡ）から発信されている信号が、弱くなる一方、他のセル（例えば、セルＢ）から発信されている信号が、現在のサービス提供セルに関して強くなっていることを検出しうる。現在のサービス提供セル（例えば、セルＡ）から発信された信号の、他のセル（例えば、セルＢ）から生成された信号の緩やかな強度増加に対する相対的な強度減少が検出されると、リセット構成要素３０６は、現在のサービス提供セル（例えばセルＡ）を制御またはサービス提供する基地局２０４へ測定レポートをディスパッチし、他のセル（例えば、セルＢ）からの信号が、強くなっている一方、現在のセル（例えば、セルＡ）からの信号が、緩やかに減少していることを示す。リセット構成要素３０６が、現在のサービス提供セル（例えば、セルＡ）を制御またはサービス提供している基地局２０４へ測定レポートを送信すると、サービス提供セル構成要素３０８は、現在のサービス提供セル（例えば、セルＡ）を制御またはサービス提供している基地局２０４から、信号送信が緩やかに増加しているものと新たに検出されたセル（例えば、セルＢ）が、アクセス端末２０８に接続または関連付けられたアクティブ・セットに追加されるべきであるか否かに関する応答を待つ。基地局２０４によって提供される応答は、アクティブ・セット更新メッセージの形式であり、アクセス端末２０８および特にサービス提供セル構成要素３０８に対して、新たに検出されたセル（例えば、セルＢ）が、現在アクセス端末２０８に接続または関連付けられており、サービス提供セル構成要素３０８によって保持されているセルのアクティブ・セットに追加されるべきであることを通知しうる。さらに、現在のサービス提供セル（例えば、セルＡ）を制御またはサービス提供している基地局２０４からディスパッチされたアクティブ・セット更新メッセージには、アクセス端末２０８が、リセット構成要素３０６によって提供されている機能によって、サービス提供セル変更を実行すべきことを示すインジケーションが含まれている。この追加情報は、アクティブ・セット更新メッセージにおいて１ビット値で伝送されうる。これは、アクセス端末２０８に対して、サービス提供セル変更が実行されるべき方式を通知しうる。
【００４０】
図４は、権利主張される主題の態様にしたがって、エンハンスされたサービス提供セル変更におけるＭＡＣ  ｈｓ／ｅｈｓリセットを容易および／または有効にするシステム４００のさらなる図示を提供する。アクティブ・セット構成要素３０２および更新構成要素３０４を含む基地局２０４と、リセット構成要素３０６およびサービス提供セル構成要素３０８を含むアクセス端末２０８とが例示されている。これらの基本能力および機能は、上述した図３に関連して示されている。したがって、これら構成要素の目的の詳細説明は、不要な反復の回避、および、簡潔さおよび簡明さのために、省略される。それでもやはり、例示するように、リセット構成要素３０６は、サービス提供セル構成要素３０８に加えて、一般に、アクセス端末２０８に対して、環境が許す限りより高いまたはより低い電力レベルで送信するように通知する送信電力制御（ＴＰＣ）ビットを見つけるために、基地局２０４によって発信されたアクティブ・セット更新メッセージを調査（例えば、解析）する送信電力制御（ＴＰＣ）インデクス構成要素４０２を含みうる。
【００４１】
一般に、送信電力制御（ＴＰＣ）ビットは、以下のようにして機能しうる。例えば、同じ基地局（例えば、基地局２０４）によって２つのセルが制御される場合、アクセス端末２０８へ提供される送信電力制御（ＴＰＣ）値（例えば、送信電力制御（ＴＰＣ）コンビネーションとしても知られている）は、同一または類似しうる。したがって、例えば、第１の基地局（例えば、ＮＢ１）が、２つのセル（例えばＣ１およびＣ２）をサービス提供または制御し、第２の基地局（例えば、ＮＢ２）が、１つのセル（例えばＣ３）をサービス提供または制御する場合、第１の基地局（ＮＢ１）によってＣ１およびＣ２へ送信された送信電力制御（ＴＰＣ）コンビネーションが、送信電力制御（ＴＰＣ）コンビネーション・インデクス０と称され、第２の基地局（例えば、ＮＢ２）によってＣ３へ送信された送信電力制御（ＴＰＣ）コンビネーションが、送信電力制御（ＴＰＣ）コンビネーション・インデクス１と称される。限定することも、一般性を失うこともなく、セルＣ１およびＣ２は、同じ基地局（例えば、ＮＢ１）によってサービス提供または制御されるので、これらセルに関連付けられた送信電力制御（ＴＰＣ）コンビネーション・インデクス０は、一般には、同一または類似している一方、セルＣ３に関連付けられた送信電力制御（ＴＰＣ）コンビネーション・インデクス１は、送信電力制御（ＴＰＣ）コンビネーション・インデクス０と異なるであろうことが注目されるべきである。したがって、アクセス端末２０８が、同一の基地局（例えば、ＮＢ１）の制御の下で、セル（例えば、Ｃ１およびＣ２）の間を移動している場合、送信電力制御（ＴＰＣ）コンビネーション・インデクスの調査は、ソース・セルおよびターゲット・セル（例えば、Ｃ１およびＣ２）が同じ基地局（例えば、ＮＢ１）によって制御されており、もって、媒体アクセス制御（ＭＡＣ）ステータス・リセットが実行される必要のないことを示すだろう。反対に、アクセス端末２０８が、異なる基地局（例えば、ＮＢ１およびＮＢ２）によって制御またはサービス提供されるセル（例えば、Ｃ１およびＣ３、または、Ｃ２およびＣ３）の間を移動している場合、送信電力制御（ＴＰＣ）コンビネーション・インデクス間に矛盾があり、媒体アクセス制御（ＭＡＣ）ステータス・リセットが行われるべきことを示す。
【００４２】
上記を考慮して、送信電力制御（ＴＰＣ）インデクス構成要素４０２は、送信電力制御（ＴＰＣ）ビットを識別するために、基地局２０４から受信したアクティブ・セット更新メッセージを受信し、検査し、精査し、あるいはスキャンする受信構成要素４０４を含みうる。受信構成要素４０４は、送信電力制御（ＴＰＣ）値または送信電力制御（ＴＰＣ）コンビネーションの存在を発見または識別すると、その情報を、比較構成要素４０６へ提供しうる。送信電力制御（ＴＰＣ）コンビネーションを受信すると、比較構成要素４０６は、基地局２０４から受信したアクティブ・セット更新メッセージに含まれる送信電力制御（ＴＰＣ）コンビネーションが、アクセス端末２０８が現在動作している送信電力制御（ＴＰＣ）コンビネーションと同一または類似しているかを判定しうる。比較構成要素４０６は、送信電力制御（ＴＰＣ）コンビネーションが、アクセス端末２０８が動作しているものと同一または類似している場合、現在の基地局２０４（例えば、ＮＢ１）が実際にアクセス端末２０８の移動先のソース・セルおよびターゲット・セル（例えば、Ｃ１およびＣ２）の両方を制御またはサービス提供するので、媒体アクセス制御（ＭＡＣ）ステータス・リセットが、必要ではないことを示しうる。一方、アクセス端末２０８が現在動作している送信電力制御（ＴＰＣ）コンビネーションと、ディスパッチされ、アクセス端末２０８を現在制御またはサービス提供している基地局２０４から受信したアクティブ・セット更新メッセージに含まれる送信電力制御（ＴＰＣ）コンビネーションとの間に
矛盾があることを比較構成要素４０６が見つけると、アクセス端末２０８は、異なる基地局２０４（例えば、ＮＢ１およびＮＢ２）によって制御されているセル間を明らかに移動している（例えば、Ｃ１とＣ３との間、または、Ｃ２とＣ３との間を移動している）ので、比較構成要素４０６は、媒体アクセス制御（ＭＡＣ）ステータス・リセットが、現在進行中であるか、切迫するようになると推論し、これによって、比較構成要素４０６は、リセット構成要素３０６に対して、移行に適応するために、媒体アクセス制御（ＭＡＣ）ステータス・リセットを実行するように指示しうる。
【００４３】
図５はさらに、権利主張される主題のさまざまな態様にしたがって、エンハンスされたサービス提供セル変更におけるＭＡＣ−ｈｓ／ｅｈｓリセットを取り扱うことを有効および／または容易にするシステム５００を例示する。図示するように、システム５００は、ターゲット基地局２０４を含みうる。この機能および／または能力は、一般に、基地局２０４に関連して上述された。さらに、システム５００は、アクセス端末２０８を含みうる。アクセス端末２０８はさらに、サービス提供セル構成要素３０８と、送信電力制御（ＴＰＣ）インデクス構成要素４０２とを含むリセット構成要素３０６を含みうる。これまで、アクセス端末２０８およびリセット構成要素３０６およびそのさまざまなサブ構成要素が既に説明されているので、これらに関するさまざまな説明は、簡潔のために省略される。しかしながら、図示するように、リセット構成要素３０６はまた、アクセス端末２０８との通信またはアクセス端末２０８による通信を根本的に制御するターゲット基地局２０４から発信された物理レイヤ・シグナリングをモニタしうる高速共有制御チャネル（ＨＳ−ＳＣＣＨ）構成要素５０２を含みうる。上述したように、物理レイヤ・シグナリング、および、特に、高速制御チャネル（ＨＳ−ＳＣＣＨ）プロトコルは、一般に、多すぎる情報を伝送するために変更可能ではなく、高速共有制御チャネル（ＨＳ−ＳＣＣＨ）オーダに含まれる現在スペアの、あるいは、利用可能なビットのうちの１ビットは、媒体アクセス制御（ＭＡＣ）ステータス・リセットがなされるべきか否かを示すために利用されうる。したがって、アクセス端末２０８が、高速共有制御チャネル（ＨＳ−ＳＣＣＨ）構成要素５０２の支援の下で、ターゲット基地局２０４から物理レイヤ・シグナリングを受信する場合、（例えば、アクセス端末２０８のような）アクセス端末は、媒体アクセス制御（ＭＡＣ）ステータス・リセットが行われるべきか否かを、受信した物理レイヤ・シグナリング内の構成要素と、高速共有制御チャネル（ＨＳ−ＳＣＣＨ）オーダに含まれる現在スペアである２つのビットのうちの１つから確認する。
【００４４】
したがって、図５に例示されるように、リセット構成要素３０６は、モニタ構成要素５０４およびビット・セレクタ構成要素５０６を含む高速共有制御チャネル（ＨＳ−ＳＣＣＨ）構成要素５０２を含む。モニタ構成要素５０４は、ターゲット基地局２０４から、物理レイヤ・シグナリングを、自動的および連続的にモニタしうる。アクセス端末２０８は、セル境界の近傍にあるか、セル境界に近接しているので、ターゲット基地局２０４は、（例えば、ターゲット基地局２０４が）アクセス端末２０８に物理レイヤ信号を送信するべきであり、（例えば、ターゲット基地局２０４が）アクセス端末２０８が入るセルを制御するように、ラジオ・ネットワーク・コントローラ（例えば、ラジオ・ネットワーク・コントローラ（ＲＮＣ）２０２）によって指示される。
【００４５】
モニタ構成要素５０４が、ターゲット基地局２０４からの物理レイヤ・シグナリングを検出または確認した場合、ノードＢ内サービス提供セル変更が保証されているか、ノードＢ間サービス提供セル変更が保証されているかを示す高速共有制御チャネル（ＨＳ−ＳＣＣＨ）オーダに関して受信した物理レイヤ・シグナリングを調査するビット・セレクタ構成要素５０６へシグナリングを伝送しうる。このインジケーションは、１ビット値として伝送されうる。例えば、ビット・セレクタ構成要素５０６が、高速共有制御チャネル（ＨＳ−ＳＣＣＨ）オーダにおける１ビット値が０であると検出した場合、これは、ノードＢ内サービス提供セル変更が、必要である（例えば、アクセス端末２０８の移動元および移動先のセルが、同じ基地局によって制御され、ソース基地局とターゲット基地局とは同じである）ことを示しうる。反対に、ビット・セレクタ構成要素５０６が、高速共有制御ｔチャネル（ＨＳ−ＳＣＣＨ）オーダにおける１ビット値が１であると検出した場合、これは、ノードＢ間サービス提供セル変更が、必要である（例えば、アクセス端末２０８の移動元および移動先のセルが、別の基地局によって制御され、ソース基地局とターゲット基地局とが異なる）ことを示しうる。僅かに異なる概念の下のさらなる例では、高速共有制御チャネル（ＨＳ−ＳＣＣＨ）オーダにおける1ビット値が０であることをビット・セレクタ構成要素５０６が検出した場合、これは、ノードＢ間サービス提供セル変更が保証されていることを示しうる。一方、高速共有制御チャネル（ＨＳ−ＳＣＣＨ）オーダにおける1ビット値が１である場合、これは、ノードＢ内サービス提供セル変更が必要であることを示すインジケーションを提供しうる。限定することなく、また、一般性を失うこともなく、ノードＢ内サービス提供セル変更とは反対に、ノードＢ間サービス提供セル変更が有効とされる場合、媒体アクセス制御（ＭＡＣ）ステータス・リセットが、リセット構成要素３０６によって有効とされうることが認識されるべきである。
【００４６】
図６は、権利主張される主題のさまざまな態様にしたがって、エンハンスされたサービス提供セル変更におけるＭＡＣ−ｈｓ／ｅｈｓリセットの取り扱いを容易および／または有効にするシステム６００を例示する。例示されるように、システム６００は、リセット構成要素３０６を含むアクセス端末２０８と、基地局２０４とを含みうる。権利主張される主題のさまざまな態様にしたがう基地局２０４は、アクセス端末２０８の移動先または移動元のセルが、同じノードＢまたは別のノードＢによって制御されるか否かに関わらず、サービス提供セル変更が必要であるかを示すインジケーションをアクセス端末２０８へ提供しうる。さらに詳しくは、リセット構成要素３０６は、アクセス端末２０８の移動元のセル、または、アクセス端末２０８の移動先のセルが、同じサービス提供基地局２０４または制御基地局２０４によって制御されている（例えば、ノードＢ内）か、あるいは、現在のサービス提供基地局２０４または制御基地局２０４と異なっている（例えば、ノードＢ間）か否かに関わらず、アクセス端末２０８がこれらセル間を移動する毎に、関連付けられた媒体アクセス制御（ＭＡＣ）ステータス・リセットを用いて、サービス提供セル変更を行いうる。
【００４７】
図７乃至１０に示すように、無線通信環境においてＭＡＣ−ｈｓ／ｅｈｓリセットを取り扱うことに関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示された全ての動作が必要とされる訳ではない。
【００４８】
図７を参照して、権利主張される主題にしたがって、エンハンスされたサービス提供セル変更におけるＭＡＣ−ｈｓ／ｅｈｓリセットを取り扱うことを容易にする方法７００が例示される。方法７００は、７０２で始まり、ここで、アクセス端末は、基地局によって、（例えば、アクセス端末が）サービス提供セル変更を実行する必要があると通知されうる。基地局から受信したインジケーションに少なくとも部分的に基づいて、アクセス端末は、７０４に示すように、サービス提供セル変更と、ＭＡＣ−ｈｓ／ｅｈｓリセットを実行しうる。７０４に示されるようなサービス提供セル変更およびＭＡＣ−ｈｓ／ｅｈｓリセットは、アクセス端末が、同じ基地局によって制御されるセル間（例えば、ノードＢ内）を移動しているか、異なる基地局によって制御されるセル間（例えば、ノードＢ間）を移動しているか否かに関わらず、有効とされうる。
【００４９】
図８は、権利主張される主題の態様にしたがって、エンハンスされたサービス提供セル変更におけるＭＡＣ−ｈｓ／ｅｈｓリセットの取り扱いを容易または有効にする方法８００を例示する。方法８００は、８０２で始まり、アクセス端末は、目的セルから送信された信号強度が、現在のサービス提供セルから発信された信号強度に近づいているかを確認する。８０４では、制御またはサービス提供している基地局へ、測定レポートをディスパッチしうる。８０６では、アクセス端末が、制御またはサービス提供している基地局から、アクティブ・セット更新メッセージを受信し、受信したアクティブ・セット更新メッセージに少なくとも部分的に基づいて、アクセス端末が、サービス提供セル変更を実行し、（例えば、アクセス端末が異なる基地局によって制御またはサービス提供されているセル間を移動している場合のように）必要であれば、ＭＡＣ−ｈｓ／ｅｈｓリセットを有効にする。
【００５０】
図９は、権利主張される主題の態様にしたがって、エンハンスされたサービス提供セル変更におけるＭＡＣ−ｈｓ／ｅｈｓリセットの取り扱いを有効にするさらなる方法９００を例示する。方法９００は、９０２で始まり、現在制御している基地局から受信され、アクティブ・セット更新メッセージに含まれる送信電力制御（ＴＰＣ）ビットを、アクセス端末が識別しうる。９０４では、アクセス端末は、現在制御している基地局から受信したアクティブ・セット更新メッセージに含まれる送信電力制御値が、アクセス端末が現在動作している送信電力制御値と異なっているか否かを確認しうる。９０６では、送信制御値における違いが識別され、アクセス端末が、サービス提供セル変更を実行でき、（例えば、アクセス端末が、現在制御している基地局とは異なる基地局によって制御されるべきである場合のように）必要な場合、ＭＡＣ−ｈｓ／ｅｈｓリセットを開始する。
【００５１】
図１０は、権利主張される主題のさらなる態様にしたがって、エンハンスされたサービス提供セル変更におけるＭＡＣ−ｈｓ／ｅｈｓリセットの取り扱いを容易にする方法１０００を例示する。方法１０００は、１００２で始まり、アクセス端末が、目的基地局から発信された物理レイヤ・シグナリングを（例えば、断続的および／または連続的に）モニタしうる。１００４では、アクセス端末が、目的基地局から受信した物理レイヤ・シグナリングが、サービス提供セル変更および／またはＭＡＣ−ｈｓ／ｅｈｓが有効とされるべきかを否かを示す１ビット値を含むかを検出しうる。１００６では、目的基地局から取得された物理レイヤ・シグナリングとともに含まれた１ビット値および／または物理レイヤ・シグナリングに少なくとも部分的に基づいて、アクセス端末は、サービス提供セル変更を開始し、必要な場合には、ＭＡＣ−ｈｓ／ｅｈｓリセットを実行する。
【００５２】
本明細書に記載された１または複数の態様によれば、エンハンスされたサービス提供セル変更において、ＭＡＣ−ｈｓ／ｅｈｓリセットを取り扱うことに関連して推論がなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００５３】
図１１は、エンハンスされたサービス提供セル変更におけるＭＡＣ−ｈｓ／ｅｈｓリセットの取り扱いを容易にするアクセス端末２０８の例示１１００である。アクセス端末２０８は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機１１０２を備えうる。受信機１１０２は、例えばＭＭＳＥ受信機であり、受信したシンボルを復調し、それらをチャネル推定のためにプロセッサ１１０６へ送る復調器１１０４を備えうる。プロセッサ１１０６は、受信機１１０２によって受信された情報の分析、および／または、送信機１１１４による送信のための情報の生成に特化されたプロセッサ、アクセス端末２０８の１または複数の構成要素を制御するプロセッサ、および／または、受信機１１０２によって受信された情報の分析、送信機１１１４による送信のための情報の生成、アクセス端末２０８の１または複数の構成要素の制御の両方を行うプロセッサでありうる。
【００５４】
アクセス端末２０８は、プロセッサ１１０６に動作可能に接続されたメモリ１１０８をさらに備える。このメモリは、送信されるべきデータ、受信したデータ、および、本明細書に記載されたさまざまな動作および機能を実行することに関連するその他任意の適切な情報を格納しうる。例えば、メモリ１１０８は、１または複数の基地局によって適用されるグループ特有のシグナリング制約を格納しうる。メモリ１１０８はさらに、リソース・ブロック割当を通信すること、および／または、受信した割当メッセージを分析するためにそのようなシグナリング制約を適用することのために使用されるシグナリング制約を識別することに関連付けられたプロトコルおよび／またはアルゴリズムを格納しうる。
【００５５】
本明細書に記載されたデータ・ストア（例えば、メモリ１１０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ１１０８は、限定される訳ではないが、これらおよびその他任意の適切なタイプのメモリを備えることが意図される。
【００５６】
受信機１１０２はさらに、図３のリセット構成要素に実質的に類似しうるリセット構成要素１１１０に動作可能に接続される。リセット構成要素１１１０は、回路交換ボイス・オーバ・パケット交換ネットワークの送信を容易にするために適用されうる。アクセス端末２０８はさらに、変調機１１１２と、例えば、基地局や、他のアクセス端末等に信号を送信する送信機１１１４とを備える。プロセッサ１１０６と別に示されているが、リセット構成要素１１１０および／または変調機１１１２は、プロセッサ１１０６または多くのプロセッサ（図示せず）のうちの一部であることが認識されるべきである。
【００５７】
図１２は、エンハンスされたサービス提供セル変更におけるＭＡＣ−ｈｓ／ｅｈｓリセットを取り扱うことを容易にするシステム１２００の例示である。システム１２００は、（例えば、アクセス・ポイントのような）基地局２０４を備える。基地局２０４は、複数の受信アンテナ１２０４によって１または複数のアクセス端末２０８から信号を受信する受信機１２０８と、送信アンテナ１２０６によって１または複数のアクセス端末１２０２へ信号を送信する送信機１２２０とを備える。受信機１２０８は、受信アンテナ１２０４から情報を受信する。さらに、受信した情報を復調する復調器１２１０と動作可能に関連付けられている。復調されたシンボルは、図１１に関連して上述されたプロセッサに類似のプロセッサ１２１２によって分析されうる。このプロセッサ１２１２は、アクセス端末（単数または複数）１２０２（または、他の基地局（図示せず））から送信されるべきデータ、または受信されたデータ、および／または、本明細書に記載されたさまざまな動作および機能を実行することに関連するその他任意の適切な情報を格納するメモリ１２１４に接続されている。プロセッサ１２１２はさらに、アクティブ・セット構成要素３０２および／または更新構成要素３０４に関連して上述した機能および／または能力を含むディスパッチ構成要素１２１６に接続されている。さらに、ディスパッチ構成要素１２１６は、変調機１２１８に送信されるべき情報を提供しうる。変調器１２１８は、送信機１２２０によって、アンテナ１２０６を介してアクセス端末１２０２へ送信されるフレームを多重化しうる。プロセッサ１２１２と別に示されているが、ディスパッチ構成要素１２１６および／または変調機１２１８は、プロセッサ１２１２または多くのプロセッサ（図示せず）のうちの一部でありうることが認識されるべきである。
【００５８】
図１３は、無線通信システム１３００の例を示す。無線通信システム１３００は、簡潔さの目的のため、１つの基地局１３１０と１つのアクセス端末１３５０しか示していない。しかしながら、システム１３００は、１より多い基地局、および／または、１より多いアクセス端末を含みうることが認識されるべきである。ここで、追加の基地局および／またはアクセス端末は、以下に示す基地局１３１０およびアクセス端末１３５０の例と実質的に類似しうるか、あるいは、異なりうる。さらに、基地局１３１０および／またはアクセス端末１３５０は、その間の無線通信を容易にするために、本明細書に記載されたシステム（図１乃至図６）および／または方法（図７乃至図１０）を適用しうる。
【００５９】
基地局１３１０では、多くのデータ・ストリームのためのトラフィック・データが、データ・ソース１３１２から送信（ＴＸ）データ・プロセッサ１３１４へ提供される。一例によれば、おのおののデータ・ストリームが、それぞれのアンテナを介して送信される。ＴＸデータ・プロセッサ１３１４は、トラフィック・データ・ストリームをフォーマットし、このデータ・ストリームのために選択された特定の符合化スキームに基づいて符号化し、インタリーブして、符合化されたデータを提供する。
【００６０】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは、一般には、周知の方式で処理される既知のデータ・パターンであり、チャネル応答を推定するために、アクセス端末１３５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１３３０によって実行または提供される命令によって決定されうる。
【００６１】
データ・ストリームの変調シンボルは、（例えば、ＯＦＤＭのために）変調シンボルを処理するＴＸ  ＭＩＭＯプロセッサ１３２０に提供される。ＴＸ  ＭＩＭＯプロセッサ１３２０はその後、ＮＴ個のシンボル・ストリームを、ＮＴ個の送信機（ＴＭＴＲ）１３２２ａ乃至１３２２ｔへ提供する。さまざまな実施形態において、ＴＸ  ＭＩＭＯプロセッサ１３２０は、データ・ストリームのシンボル、および、そのシンボルが送信されるアンテナへ、ビームフォーミング重みを適用する。
【００６２】
おのおのの送信機１３２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１３２２ａ乃至１３２２ｔからのＮＴ個の変調信号は、ＮＴ個のアンテナ１３２４ａ乃至１３２４ｔそれぞれから送信される。
【００６３】
アクセス端末１３５０では、送信された変調信号が、ＮＲ個のアンテナ１３５２ａ乃至１３５２ｒによって受信され、おのおのの受信機１３５２から受信された信号が、それぞれの受信機（ＲＣＶＲ）１３５４ａ乃至１３５４ｒへ提供される。おのおのの受信機１３５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６４】
ＲＸデータ・プロセッサ１３６０は、ＮＲ個の受信機１３５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１３６０は、検出されたおのおののシンボル・ストリームを復調し、デインタリーブし、復号して、そのデータ・ストリームのためのトラフィック・データを復元する。ＲＸデータ・プロセッサ１３６０による処理は、基地局１３１０におけるＴＸ  ＭＩＭＯプロセッサ１３２０およびＴＸデータ・プロセッサ１３１４によって実行されるものと相補的である。
【００６５】
プロセッサ１３７０は、上述したように、利用可能などの技術を利用するのかを定期的に決定する。さらに、プロセッサ１３７０は、行列インデクス部およびランク値部を備えた逆方向リンク・メッセージを規定することができる。
【００６６】
逆方向リンク・メッセージは、通信リンクおよび／または受信されたデータ・ストリームに関するさまざまなタイプの情報を備えうる。逆方向リンク・メッセージは、データ・ソース１３３６から多くのデータ・ストリームのトラフィック・データをも受信するＴＸデータ・プロセッサ１３３８によって処理され、変調器１３８０によって変調され、送信機１３５４ａ乃至１３５４ｒによって調整され、基地局１３１０へ送り戻される。
【００６７】
基地局１３１０では、アクセス端末１３５０からの変調信号が、アンテナ１３２４によって受信され、受信機１３２２によって調整され、復調器１３４０によって復調され、ＲＸデータ・プロセッサ１３４２によって処理されて、アクセス端末１３５０によって送信された逆方向リンク・メッセージが抽出される。さらに、プロセッサ１３３０は、ビームフォーミング重みを決定するためにどの事前符合化行列を使用するかを決定するために、この抽出されたメッセージを処理する。
【００６８】
プロセッサ１３３０およびプロセッサ１３７０は、基地局１３１０およびアクセス端末１３５０それぞれにおける動作を指示（例えば、制御、調整、管理等）する。
【００６９】
プロセッサ１３３０およびプロセッサ１３７０はそれぞれ、プログラム・コードおよびデータを格納するメモリ１３３２およびメモリ１３７２に関連付けられうる。プロセッサ１３３０およびプロセッサ１３７０はまた、アップリンクおよびダウンリンクそれぞれのための周波数およびインパルス応答推定値を導出する計算をも実行する。
【００７０】
態様では、論理チャネルが、制御チャネルとトラフィック・チャネルとに分類される。論理制御チャネルは、システム制御情報をブロードキャストするためのＤＬチャネルであるブロードキャスト制御チャネル（ＢＣＣＨ）を含みうる。さらに、論理制御チャネルは、ページング情報を転送するＤＬチャネルであるページング制御チャネル（ＰＣＣＨ）を含みうる。さらに、論理制御チャネルは、１またはいくつかのＭＴＣＨのためにマルチメディア・ブロードキャストおよびマルチキャスト・サービス（ＭＢＭＳ）スケジュールおよび制御情報を送信するために使用されるポイント・トゥ・マルチポイントＤＬチャネルであるマルチキャスト制御チャネル（ＭＣＣＨ）を備えうる。一般に、ラジオ・リソース制御（ＲＲＣ）接続を確立した後、このチャネルは、ＭＢＭＳ（例えば、旧ＭＣＣＨ＋ＭＳＣＨ）を受信するＵＥによってのみ使用される。さらに、論理制御チャネルは、専用制御情報を送信するポイント・トゥ・ポイント双方向チャネルであり、ＲＲＣ接続を有するＵＥによって使用される専用制御チャネル（ＤＣＣＨ）を含みうる。態様では、論理トラフィック・チャネルは、ユーザ情報を転送するために、１つのＵＥに専用のポイント・トゥ・ポイント双方向チャネルである専用トラフィック・チャネル（ＤＴＣＨ）を備える。さらに、論理トラフィック・チャネルは、トラフィック・データを送信するポイント・トゥ・マルチポイントＤＬチャネルのためのマルチキャスト・トラフィック・チャネル（ＭＴＣＨ）をも含みうる。
【００７１】
態様では、伝送チャネルが、ＤＬとＵＬとに分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＰＣＨは、セル全体にわたってブロードキャストされることにより、および、他の制御／トラフィック・チャネルのために使用されうる物理レイヤ（ＰＨＹ）リソースにマップされることにより、ＵＥ節電をサポートする（例えば、不連続受信（ＤＲＸ）サイクルが、ネットワークによってＵＥへ示される）。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。
【００７２】
ＰＨＹチャネルは、ＤＬチャネルとＵＬチャネルとのセットを備える。例えば、ＤＬ  ＰＨＹチャネルは、共通のパイロット・チャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当チャネル（ＳＵＡＣＨ）、アクノレッジメント・チャネル（ＡＣＫＣＨ）、ＤＬ物理共有データ・チャネル（ＤＬ−ＰＳＤＣＨ）、ＵＬ電力制御チャネル（ＵＰＣＣＨ）、ページング・インジケータ・チャネル（ＰＩＣＨ）、および／または、負荷インジケータ・チャネル（ＬＩＣＨ）を含みうる。さらなる実例として、ＵＬ  ＰＨＹチャネルは、物理ランダム・アクセス・チャネル（ＰＲＡＣＨ）、チャネル品質インジケータ・チャネル（ＣＱＩＣＨ）、アクノレッジメント・チャネル（ＡＣＫＣＨ）、アンテナ・サブセット・インジケータ・チャネル（ＡＳＩＣＨ）、共有要求チャネル（ＳＲＥＱＣＨ）、ＵＬ物理共有データ・チャネル（ＵＬ−ＰＳＤＣＨ）、および／またはブロードキャスト・パイロット・チャネル（ＢＰＩＣＨ）を含みうる。
【００７３】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロ・プロセッサ、本明細書に記載の機能を実行するために設計されたその他の電子ユニット、あるいはこれらの組み合わせ内に実装されうる。
【００７４】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００７５】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００７６】
図１４を参照して、無線通信環境において、エンハンスされたサービス提供セル変更におけるＭＡＣ−ｈｓ／ｅｈｓリセットを取り扱うことを容易にするシステム１４００が例示される。例えば、システム１４００は、基地局内に少なくとも部分的に存在しうる。システム１４００は、プロセッサ、ソフトウェア、またはそれらの組み合わせ（例えば、ファームウェア）によって実現される機能を表す機能ブロックでありうる機能ブロックを含むものとして示されることが認識されるべきである。システム１４００は、連携して動作しうる電子構成要素の論理グループ１４０２を含む。例えば、論理グループ１４０２は、アクセス端末から測定レポートを受信するための電子構成要素１４０４を含みうる。例えば、これら情報は、ブロードキャスト・チャネル（例えば、動的ブロードキャスト・チャネル（ＢＣＨ））によって転送されうる。さらに、これら情報は、グループ特有の最小割当ユニット、グループ特有のシグナリング構造、グループ数、各グループ内のリソース・ブロックの数等に関連しうる。さらに、論理グループ１４０２は、アクティブ・セット更新をアクセス端末へディスパッチするための電子構成要素１４０６を含みうる。さらに、論理グループ１４０２は、送信電力制御値をアクティブ・セット更新メッセージに含めるための電子構成要素１４０８を備えうる。例えば、そのインジケーションは、（例えば、物理ダウンリンク制御チャネル（ＰＤＣＣＨ）のような）制御チャネルによって転送されうる。さらに、システム１４００は、電子構成要素１４０４、１４０６、１４０８に関連付けられた機能を実行するための命令群を保持するメモリ１４１０を含みうる。メモリ１４１０の外部にあるとして示されているが、電子構成要素１４０４、１４０６、１４０８のうちの１または複数は、メモリ１４１０内に存在しうることが理解されるべきである。
【００７７】
図１５に移って、無線通信環境において、エンハンスされたサービス提供セル変更におけるＭＡＣ−ｈｓ／ｅｈｓリセットを取り扱うことを有効にするシステム１５００が例示されている。システム１５００は、例えば、アクセス端末内に存在しうる。図示するように、システム１５００は、プロセッサ、ソフトウェア、または（例えば、ファームウェアのような）これらの組み合わせによって実現される機能を表しうる。システム１５００は、連携して動作しうる電子構成要素の論理グループ１５０２を含む。論理グループ１５０２は、アクティブ・セット更新メッセージにおける送信電力制御ビットを識別するためのグループ特有のシグナリング制約に関連する情報を取得するための電子構成要素１５０４を含みうる。さらに、論理グループ１５０２は、アクティブ・セット更新メッセージに含まれる送信電力制御値が、アクセス端末が現在動作している送信電力制御値と異なっているかを確認するための電子構成要素１５０６を含みうる。さらに、論理グループ１５０２は、サービス提供セル変更を実行し、必要な場合には、送信制御値における違いに少なくとも部分的に基づいて、ＭＡＣ−ｈｓ／ｅｈｓリセットを有効にするための電子構成要素１５０８を含みうる。さらに、システム１５００は、電子構成要素１５０４、１５０６、１５０８に関連付けられた機能を実行するための命令群を保持するメモリ１５１０を含みうる。メモリ１５１０の外側にあるとして示されているが、電子構成要素１５０４、１５０６、１５０８は、メモリ１５１０内に存在しうることが理解されるべきである。
【００７８】
上述したものは、１または複数の実施形態の一例を含んでいる。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
以下に、本願出願の当初の特許請求の範囲に記載された発明を付記する。
［Ｃ１］
無線通信システムにおいて動作可能な装置であって、
アクティブ・セット更新メッセージに含まれる送信電力制御ビットを識別し、
前記アクティブ・セット更新メッセージに含まれる送信電力制御値が、前記装置が現在適用している送信電力制御値と異なるかを確認し、
サービス提供セル変更を実行し、
送信電力制御コンビネーション・インデクスの検討に少なくとも部分的に基づいて、媒体アクセス制御ステータス・リセットを実行する
ように構成されたプロセッサと、
前記プロセッサに接続され、データを保持するためのメモリと
を備える装置。
［Ｃ２］
前記サービス提供セル変更は、前記媒体アクセス制御ステータス・リセットを自動的に有効にすることを含むＣ１に記載の装置。
［Ｃ３］
前記送信電力制御ビットは、前記送信電力制御コンビネーション・インデックスを示すＣ１に記載の装置。
［Ｃ４］
前記アクティブ・セット更新メッセージは、前記装置の移行先の基地局からディスパッチされるＣ１に記載の装置。
［Ｃ５］
前記プロセッサはさらに、前記送信電力制御値が、前記装置が現在動作している送信電力制御値に類似していると判定するように構成されたＣ１に記載の装置。
［Ｃ６］
前記装置が現在動作している送信電力制御値の類似性の判定に少なくとも部分的に基づいて、前記プロセッサはさらに、前記媒体アクセス制御ステータス・リセットを有効にすることなく、前記サービス提供セル変更を実行するように構成されたＣ５に記載の装置。
［Ｃ７］
前記装置が現在位置しているセルにサービス提供する基地局へ送信された測定レポートに少なくとも部分的に基づいて、前記アクティブ・セット更新メッセージが、前記装置へディスパッチされるＣ１に記載の装置。
［Ｃ８］
前記測定レポートは、前記セルに関連付けられた信号強度が、遠くのセルに対して減少することを示すＣ７に記載の装置。
［Ｃ９］
前記遠くのセルは、前記基地局または他の基地局のうちの少なくとも１つによってサービス提供されるＣ８に記載の装置。
［Ｃ１０］
前記基地局は、前記装置に対して、前記装置によって保持されているアクティブ・セットに、前記遠くのセルを追加するように指示するＣ８に記載の装置。
［Ｃ１１］
無線通信システムにおいて動作可能な装置であって、
アクティブ・セット更新メッセージに含まれる送信電力制御ビットを発見することと、
前記アクティブ・セット更新メッセージに含まれる送信電力制御値と、前記装置が現在適用している送信電力制御値とを区別することと、
サービス提供セル変更を行うことと、
送信電力制御コンビネーション・インデクスの調査に少なくとも部分的に基づいて、媒体アクセス制御ステータス・リセットを実行することと、
に関連する命令群を保持するメモリと、
前記メモリに接続され、前記メモリに保持された命令群を実行するように構成されたプロセッサと
を備える装置。
［Ｃ１２］
前記送信電力制御ビットは、前記送信電力制御コンビネーション・インデクスを示すＣ１１に記載の装置。
［Ｃ１３］
前記送信電力制御ビットは、基地局から受信されるＣ１１に記載の装置。
［Ｃ１４］
前記基地局は、前記装置から取得された測定レポートに応じて前記送信電力制御ビットを送信するＣ１３に記載の装置。
［Ｃ１５］
前記測定レポートは、前記基地局によってサービス提供されるセルに関連付けられた信号強度に、異なる基地局によってサービス提供される第１のセルに関連付けられた信号強度が近付いていることを示すＣ１４に記載の装置。
［Ｃ１６］
前記基地局は、前記装置によって保持されているアクティブ・セットに前記第１のセルを追加するように前記装置に指示するＣ１５に記載の装置。
［Ｃ１７］
無線通信システムで利用される方法であって、
アクティブ・セット更新メッセージに含まれる送信電力制御ビットを識別することと、
前記アクティブ・セット更新メッセージに含まれる送信電力制御値が、装置が現在適用している送信電力制御値と異なるかを確認することと、
送信電力制御コンビネーション・インデクスの分析に少なくとも部分的に基づいて、媒体アクセス制御ステータス・リセットを行うことを含むサービス提供セル変更を実行することと
を備える方法。
［Ｃ１８］
前記送信電力制御ビットは、送信電力制御インデクスを示すＣ１７に記載の方法。
［Ｃ１９］
前記アクティブ・セット更新メッセージは、前記装置の移行先の第１のセルにサービス提供する基地局から受信されるＣ１７に記載の方法。
［Ｃ２０］
前記第１のセルに関連付けられた信号強度は、前記基地局によって制御された第２のセルの信号強度に近付いているＣ１９に記載の方法。
［Ｃ２１］
前記第１のセルに関連付けられた信号強度と、前記第２のセルの信号強度とは、前記基地局へディスパッチされる測定レポートに含まれているＣ２０に記載の方法。
［Ｃ２２］
前記測定レポートに少なくとも部分的に基づいて、前記基地局は、前記装置に対して、前記装置によって保持されているアクティブ・セットに前記第１のセルを追加するように指示するＣ２１に記載の方法。
［Ｃ２３］
無線通信システムにおいて動作可能な装置であって、
アクティブ・セット更新メッセージに含まれる送信電力制御ビットを識別する手段と、
前記アクティブ・セット更新メッセージに含まれる送信電力制御値が、受信手段が現在適用している送信電力制御値と異なるかを確認する手段と、
送信電力制御コンビネーション・インデクスの検討に少なくとも部分的に基づいて、媒体アクセス制御ステータス・リセットを実行する手段と
を備える装置。
［Ｃ２４］
前記実行する手段はさらに、サービス提供セル変更を有効にするＣ２３に記載の装置。
［Ｃ２５］
前記識別する手段は、送信手段から、前記アクティブ・セット更新メッセージを受信し、これが結果的に、受信手段にサービス提供するＣ２３に記載の装置。
［Ｃ２６］
前記確認する手段はさらに、前記送信電力制御値が、前記受信手段が現在適用している前記送信電力制御値と類似しているかを判定するＣ２３に記載の装置。
［Ｃ２７］
前記送信電力制御ビットは、前記送信電力制御コンビネーション・インデックスを示すＣ２３に記載の装置。
［Ｃ２８］
コンピュータ読取可能媒体を備えるコンピュータ・プログラム製品であって、
前記コンピュータ読取可能媒体は、
アクティブ・セット更新メッセージに含まれる送信電力制御ビットを識別するためのコードと、
前記アクティブ・セット更新メッセージに含まれる送信電力制御値が、装置が現在適用している送信電力制御値と異なるかを確認するためのコードと、
媒体アクセス制御ステータス・リセットを行うためのコードを含むサービス提供セル変更を実行するためのコードとを備え、
前記媒体アクセス制御ステータス・リセットは、送信電力制御コンビネーション・インデクスの検討に少なくとも部分的に基づくコンピュータ・プログラム製品。
［Ｃ２９］
前記送信電力制御ビットは、前記装置からディスパッチされた測定レポートに応じて基地局から受信されるＣ２８に記載のコンピュータ・プログラム製品。
［Ｃ３０］
前記測定レポートは、前記基地局によってサービス提供される第１のセルと、別の基地局によってサービス提供される第２のセルとの間の相対信号強度を示すＣ２９に記載のコンピュータ・プログラム製品。
［Ｃ３１］
前記基地局は、前記装置に対して、前記装置によって維持または保持されているアクティブ・セットへ前記第２のセルが追加されるべきであることを示すＣ３０に記載のコンピュータ・プログラム製品。
［Ｃ３２］
前記送信電力制御ビットは、前記送信電力制御コンビネーション・インデクスを示すＣ２８に記載のコンピュータ・プログラム製品。
【図１】
0005547192.tif 000002
【図２】
0005547192.tif 000003
【図３】
0005547192.tif 000004
【図４】
0005547192.tif 000005
【図５】
0005547192.tif 000006
【図６】
0005547192.tif 000007
【図７】
0005547192.tif 000008
【図８】
0005547192.tif 000009
【図９】
0005547192.tif 000010
【図１０】
0005547192.tif 000011
【図１１】
0005547192.tif 000012
【図１２】
0005547192.tif 000013
【図１３】
0005547192.tif 000014
【図１４】
0005547192.tif 000015
【図１５】
0005547192.tif 000016